(57)【要約】【課題】看護者の勤務交替、変更、勤務状態等の状況に応じて看護支援を充分に達成できるようにする。【解決手段】ナースコール子機１、ナースコール親機２、携帯端末３、交換機４、基地局５及びナースコール制御装置６を備え、交換機４は、看護者ＩＤ及び端末を関連付けたテーブルを記録するテーブル記録部４２と、テーブルの看護者ＩＤ及び携帯端末の関連付けを、看護者ＩＤを入力して当該看護者ＩＤ及び端末番号を書き換えることによって変更する第１の制御機能、及びナースコール子機１の呼び出しに応じてナースコール制御装置６より送出される看護者ＩＤを受信したとき、テーブルを参照して看護者ＩＤに対応した該当携帯端末の端末番号を読み出し、基地局５を介して該当携帯端末を呼び出す第２の制御機能を有する制御部４１とを有している。【選択図】図１
2007096769.tif 000002
【特許請求の範囲】
【請求項１】
病院、介護施設等のベッドに設置され被看護者が看護者を呼び出すために操作するナースコール子機（１）と、看護者詰所に設置され前記被看護者からの呼び出しにより呼び出しを受ける看護者の看護者ＩＤを特定して前記看護者を呼び出し、報知するナースコール親機（２）と、前記看護者によって携行され前記被看護者からの呼び出しにより前記看護者を呼び出し、報知する携帯端末（３）と、前記携帯端末に対して呼出信号を生成する交換機（４）と、前記交換機から前記携帯端末に対し呼出信号を送信する基地局（５）と、前記ナースコール子機、前記ナースコール親機、前記交換機を制御するナースコール制御装置（６）とを備え、
前記看護者ＩＤ及び前記携帯端末を関連付けたテーブル（７）と、
前記テーブルの前記看護者ＩＤ及び前記携帯端末の関連付けを、前記看護者ＩＤを入力して当該看護者ＩＤ及び端末番号を書き換えることによって変更する第１の制御機能、及び前記ナースコール子機の呼び出しに応じて前記ナースコール制御装置より送出される前記看護者ＩＤを受信したとき、前記テーブルを参照して前記看護者ＩＤに対応した該当携帯端末の端末番号を読み出し、前記基地局を介して該当携帯端末を呼び出す第２の制御機能を有する制御部（４１）とを有することを特徴とするナースコールシステム。
【請求項２】
前記テーブルは前記交換機に設けられることを特徴とする請求項１記載のナースコールシステム。
【請求項３】
前記テーブルは前記ナースコール制御装置に設けられることを特徴とする請求項１記載のナースコールシステム。
【請求項４】
前記テーブルは、前記携帯端末から看護者ＩＤを入力することによって前記テーブルの前記看護者ＩＤと前記端末番号のデータを書き換え可能であることを特徴とする請求項１乃至請求項３のうち何れか１項記載のナースコールシステム。
【請求項５】
前記テーブルは、前記ナースコール親機から端末番号と看護者ＩＤを入力することによって前記テーブルの前記看護者ＩＤと前記端末番号のデータを書き換え可能であることを特徴とする請求項１乃至請求項４のうち何れか１項記載のナースコールシステム。
【発明の詳細な説明】
【技術分野】
【０００１】
本発明はナースコールシステムに係り、特にナースコール制御装置から出力される看護者ＩＤによる呼び出しを交換機等が有するテーブルにて判別しその看護者ＩＤの担当看護者が保有している携帯端末に呼び出しを着信させるナースコールシステムに関する。
【背景技術】
【０００２】
従来から、看護婦情報管理部に患者識別子、担当看護婦の携帯端末番号を対応付けしたテーブルを設け、ベッド子機の呼び出しに応じてナースコール親機から送られるベッド子機番号を患者指定部で受けて患者名・患者ＩＤなどの患者識別子に変換し、看護婦情報管理部は患者識別子が入力されて患者の担当看護婦の看護婦ＩＤ、携帯端末番号を抽出し、携帯端末番号で指定された携帯端末子機に患者識別子を転送することで、呼び出し、着信を行う看護支援装置が知られている（例えば、特許文献１参照）。
【０００３】
【特許文献１】特開平９−１２１２６１号公報  （段落００１９〜００２２、第６図）
【発明の開示】
【発明が解決しようとする課題】
【０００４】
しかしながら、この看護支援装置において設定されるテーブルは患者ＩＤ、看護婦ＩＤ、携帯端末番号が関係付けされているが、この関係付けは固定となっており、容易には変更できないという難点がある。したがって、看護婦の勤務交替、変更、勤務状態等の状況に応じて看護支援が充分に達成できなかった。
【０００５】
本発明は、このような従来の難点を解消するためになされたもので、携帯端末やインターホン親機に看護者ＩＤを入力することで、交換機等が有するテーブルの看護者ＩＤと携帯端末の端末番号をいつでも変化させることができるナースコールシステムを提供することを目的とする。
【０００６】
また、本発明は、携帯端末に対する看護者ＩＤの設定を、携帯端末やインターホン親機から複雑な操作なしに設定できるナースコールシステムを提供することを目的とする。
【０００７】
また、本発明は、介護者の人数分の携帯端末を用意しなくても日勤で使用した介護者の携帯端末を夜勤の介護者にも使用することで携帯端末台数を削減できるナースコールシステムを提供することを目的とする。
【課題を解決するための手段】
【０００８】
上述の目的を達成する本発明の第１の態様であるナースコールシステムは、病院、介護施設等のベッドに設置され被看護者が看護者を呼び出すために操作するナースコール子機と、看護者詰所に設置され被看護者からの呼び出しにより呼び出しを受ける看護者の看護者ＩＤを特定して看護者を呼び出し、報知するナースコール親機と、看護者によって携行され被看護者からの呼び出しにより看護者を呼び出し、報知する携帯端末と、携帯端末に対して呼出信号を生成する交換機と、交換機から携帯端末に対し呼出信号を送信する基地局と、ナースコール子機、ナースコール親機、交換機を制御するナースコール制御装置とを備え、看護者ＩＤ及び携帯端末を関連付けたテーブルと、テーブルの看護者ＩＤ及び携帯端末の関連付けを、看護者ＩＤを入力して当該看護者ＩＤ及び端末番号を書き換えることによって変更する第１の制御機能、及びナースコール子機の呼び出しに応じてナースコール制御装置より送出される看護者ＩＤを受信したとき、テーブルを参照して看護者ＩＤに対応した該当携帯端末の端末番号を読み出し、基地局を介して該当携帯端末を呼び出す第２の制御機能を有する制御部とを有するものである。
【０００９】
このような第１の態様であるナースコールシステムは、携帯端末等の所定の通信機器で看護者ＩＤを入力すると、所定の看護者に対して所定の携帯端末を割り当てるためのテーブルが有する看護者ＩＤ及び端末番号のデータを書き換えることが可能になる。したがって、ナースコール子機からの呼び出しに基づきナースコール制御装置より送出される呼び出された看護者の看護者ＩＤを、看護者ＩＤ及び端末番号のデータが書き換えられたテーブルを有する何れかの通信機器が受信すると、その書き換えられた看護者ＩＤに対応した該当携帯端末の端末番号に変換することができるので、基地局を介して該当携帯端末に対応する看護者を呼び出すことができる。
【００１０】
本発明の第２の態様は第１の態様であるナースコールシステムにおいて、テーブルは交換機に設けられるものである。このような第２の態様であるナースコールシステムによれば、交換機でテーブルの看護者ＩＤ及び端末番号のデータを書き換えることが可能になる。
【００１１】
本発明の第３の態様は第１の態様であるナースコールシステムにおいて、テーブルはナースコール制御装置に設けられるものである。このような第３の態様であるナースコールシステムによれば、ナースコール制御装置でテーブルの看護者ＩＤ及び端末番号のデータを書き換えることが可能になる。
【００１２】
本発明の第４の態様は第１の態様乃至第３の態様の何れか１つであるナースコールシステムにおいて、テーブルは、携帯端末から看護者ＩＤを入力することによってテーブルの看護者ＩＤと端末番号のデータを書き換え可能である。このような第４の態様であるナースコールシステムによれば、携帯端末から看護者ＩＤを入力するだけで、テーブルの看護者ＩＤ及び端末番号のデータを書き換えることが可能となる。
【００１３】
本発明の第５の態様は第１の態様乃至第４の態様の何れか１つであるナースコールシステムにおいて、テーブルは、ナースコール親機から端末番号と看護者ＩＤを入力することによってテーブルの看護者ＩＤと端末番号のデータを書き換え可能である。このような第５の態様であるナースコールシステムによれば、ナースコール親機が設置されたナースステーション等においてもテーブルの看護者ＩＤ及び端末番号のデータを書き換えることが可能となる。
【発明の効果】
【００１４】
本発明によれば、携帯端末やインターホン親機に看護者ＩＤを入力することで、交換機等が有するテーブルが書き換えられ看護者ＩＤと携帯端末の端末番号をいつでも変化させることができるので、看護者の勤務交替、変更、勤務状態等の状況に応じて看護支援を充分に達成できるようになる。また、本発明によれば、携帯端末に対する看護者ＩＤの設定を、携帯端末やインターホン親機から複雑な操作なしに設定できるようになる。また、本発明によれば、介護者の人数分の携帯端末を用意しなくても日勤で使用した介護者の携帯端末を夜勤の介護者にも使用することで携帯端末台数を削減できるようになる。
【発明を実施するための最良の形態】
【００１５】
以下、本発明を実施するための最良の実施形態について、図面を参照して説明する。参照する図１は、本発明のナースコールシステムを示す図で、（Ａ）はナースコールシステムのブロック図で、（Ｂ）は交換機の具体的な構成を示すブロック図である。図２は看護者割り当てテーブルの図で、（Ａ）は書き換え前の構成図、（Ｂ）は書き換え後の構成図である。図３は携帯端末の操作状態を示す説明図である。
【００１６】
本発明の好ましい実施の形態例であるナースコールシステムは図１（Ａ）に示すように、病院、介護施設等のベッドに設置され被看護者が看護者を呼び出すために操作するナースコール子機１と、ナースステーション等の看護者詰所に設置され被看護者からの呼び出しにより呼び出しを受ける看護者の看護者ＩＤを特定して看護者を呼び出し、報知するナースコール親機２と、看護者によって携行され被看護者からの呼び出しにより看護者を呼び出し、報知するＰＨＳ等の携帯端末３と、携帯端末３に対して呼出信号を生成する交換機４と、交換機４から携帯端末３に対し呼出信号を送信する基地局５と、ナースコール子機１、ナースコール親機２、交換機４を制御するナースコール制御装置６とを備えている。なお、看護者とは看護師とともに医師も含み、さらには、老人、病人などを介抱し看護する介護者も含むものとする。また、ナースコール子機１、ナースコール親機２、基地局５及び携帯端末３は、病院、介護施設等のシステム形態に基づき設置代数が決定される。
【００１７】
ナースコール子機１は、ナースコール制御装置６に接続されている子機接続幹線Ｌ１にバス接続されている。また、ナースコール制御装置６には、交換機４が交換機接続幹線Ｌ２及びナースコール親機２が親機接続幹線Ｌ３を介してそれぞれ接続され、交換機４には基地局幹線Ｌ４を介して基地局５が接続されている。
【００１８】
次に各機器の詳細について説明する。
【００１９】
ナースコール子機１は、看護者詰所内の看護者や看護者詰所以外にいる看護者を呼び出すための呼出部である例えば呼出ボタン１１と、被看護者が看護者と通話するための通話部であるマイク１２、スピーカ１３とを有している。なお、通話部はハンドセットでもよい。
【００２０】
ナースコール親機２は、液晶ディスプレイなどの表示装置２１と、ナースコール子機１のマイク１２、スピーカ１３と通話を行うための通話部であるハンドセット２２と、ナースコール子機１からの呼び出しを報知する呼出スピーカ２３とを有している。なお、通話部は筐体自体に設けるマイク、スピーカでもよい。
【００２１】
ナースコール制御装置６は、中継器として設置されており、接続されている機器をそれぞれ制御（信号処理、通話路の選択等）するものである。
【００２２】
交換機４は、基地局５を制御するもので図１（Ｂ）に示すように、交換機内の動作を制御するためのＣＰＵ等で構成される制御部４１と、所定の看護者に対して所定の携帯端末を割り当てるためのテーブル７（図２参照）を記録するテーブル記録部４２と、制御部４１とナースコール制御装置６との間で送受信される各種信号の伝送路を形成するための制御装置インターフェース回路（以下、インターフェース回路を「Ｉ／Ｆ」という。）４３と、制御部４１と基地局５との間で送受信される各種信号の伝送路を形成するための基地局Ｉ／Ｆ４４とを備えている。
【００２３】
テーブル７は図２に示すように、被看護者ＩＤ、看護者ＩＤ、携帯端末番号が関係付けされ、図３に示すような移動体通信システムの携帯端末３のキー操作により書き換え可能となっている。このテーブル７は、携帯端末３で看護者ＩＤを入力すると、制御部４１の第１の制御機能によって看護者ＩＤ及び端末番号のデータを書き換え可能である。また、制御部４１は、ナースコール子機１の呼び出しに応じてナースコール制御装置６より送出される看護者ＩＤを受信したとき、テーブル７を参照して看護者ＩＤに対応した該当携帯端末の端末番号を読み出し、基地局５を介して該当携帯端末を呼び出す第２の制御機能を有している。
【００２４】
基地局５は看護者が携帯する携帯端末３と無線による情報のやりとりをすることができる。
【００２５】
このように構成されたナースコールシステムによる動作について、以下説明する。なお、被看護者は何れかの病室内のベッドを使用する患者とし、看護者は看護師とする。また、図２（Ａ）に示すようにテーブル７は、患者Ａの被看護者ＩＤが００１、この患者Ａを担当する看護師Ｓの看護者ＩＤが０９４６７８、この看護師Ｓが携行する携帯端末３の端末番号が０２１１、患者Ｂの被看護者ＩＤが００２、この患者Ｂを担当する看護師Ｔの看護者ＩＤが０９４１０１、この看護師Ｔが携行する携帯端末３の端末番号が００３７、患者Ｃの被看護者ＩＤが００３、この患者Ｃを担当する看護師Ｕの看護者ＩＤが０９５００６、この看護師Ｕが携行する携帯端末３の端末番号が０１５０にそれぞれ設定されているものとする。
【００２６】
何れかの病室内の例えば患者Ａがナースコール子機１の呼出ボタン１１で担当看護師Ｓを呼び出すと、呼出信号がナースコール子機１から子機接続幹線Ｌ１に伝送されナースコール制御装置６で受信される。ナースコール制御装置６で受信された呼出信号は親機接続幹線Ｌ３及び交換機接続幹線Ｌ２に伝送される。親機接続幹線Ｌ３に伝送された呼出信号はナースコール親機２で受信され、ナースコール親機２は呼出信号に基づき担当看護師Ｓの看護者ＩＤを特定し、呼出スピーカ２３で呼び出しがあったことを報知し、表示装置２１に呼び出されたのが担当看護師Ｓであることを表示する。その報知を確認した看護者詰所内の何れかの看護師がナースコール親機２で応答すると、このナースコール親機２のハンドセット２２と、呼び出しをしたナースコール子機１のマイク１２、スピーカ１３との通話路が形成され、看護者詰所内の看護師と病室内の患者Ａとの通話が成立する。
【００２７】
また、交換機接続幹線Ｌ２に伝送された呼出信号が交換機４の制御装置Ｉ／Ｆ４３を介して制御部４１で受信されると、制御部４１はその呼出信号が発信されたナースコール子機１に割り当てられた患者Ａの被看護者ＩＤを確認するために、テーブル記録部４２に記録されたテーブル７を参照する。制御部４１はテーブル７からその患者Ａの被看護者ＩＤに割り当てられている看護師Ｓの看護者ＩＤに対応した該当携帯端末の端末番号のデータを読み出し、読み出された端末番号のデータを付加した呼出信号を基地局Ｉ／Ｆ４４を介して基地局接続幹線Ｌ４に伝送する。基地局接続幹線Ｌ４に伝送された端末番号データを付加した呼出信号は基地局５を介して該当携帯端末３に伝送されるので、担当看護師Ｓは患者Ａから呼び出しがあったことを携帯端末３で確認することができる。携帯端末３で呼び出しがあったことを確認した担当看護師Ｓが携帯端末３で応答すると、この携帯端末３と、呼び出しをしたナースコール子機１のマイク１２、スピーカ１３との通話路が形成され、看護者詰所内の看護師や巡回中の看護師Ｓと病室内の患者Ａとの通話が成立する。
【００２８】
一方、看護者詰所内の看護師や巡回中の看護師Ｓが病室内の特定患者Ａを呼び出すには、看護者詰所内のナースコール親機２で呼び出したり、携帯端末３で呼び出したりする。ナースコール親機２で呼び出しをかけると、呼出信号は親機接続幹線Ｌ３を介してナースコール制御装置６に受信され子機接続幹線Ｌ１に伝送される。また、携帯端末３で呼び出しをかけると、呼出信号は基地局５から基地局接続幹線Ｌ４→交換機４→交換機接続幹線Ｌ２を介してナースコール制御装置６に受信され子機接続幹線Ｌ１に伝送される。呼出信号を受信した該当ナースコール子機１は、呼び出しがあったことを報知するとともに、呼び出しをしたナースコール親機２あるいは携帯端末３との通話路が形成されるので、看護者詰所内の看護師や巡回中の看護師Ｓと病室内の特定患者Ａとの通話が成立する。
【００２９】
次に、本発明の特徴である携帯端末３で看護者ＩＤを入力することによって、テーブル記録部４２に記録されたテーブル７の看護者ＩＤ及び端末番号のデータを書き換える動作について説明する。
【００３０】
勤務交代等によって患者Ａを担当する看護師Ｓが看護師Ｘに、患者Ｂを担当する看護師Ｔが看護師Ｙに、患者Ｃを担当する看護師Ｕが看護師Ｚに、それぞれ交代する際、携帯端末３も引き継ぐので、例えば患者Ａを担当する看護師Ｘが図３に示すように、携行する携帯端末３で登録のための特番について、例えばテンキーのキーボタンを８９と押下し、次に自分の看護者ＩＤについて、テンキーのキーボタンで０９５３３６と押下して最後に呼出ボタンを押下すると、携帯端末３から無線信号である書換信号が送信される。この書換信号は基地局５で受信され基地局接続幹線Ｌ４を介して交換機４の基地局Ｉ／Ｆ４４を介して制御部４１で受信される。書換信号が制御部４１で受信されると、制御部４１はその書換信号の内容に基づき図２（Ａ）に示すテーブル７の患者Ａの被看護者ＩＤ００１に対応する看護者ＩＤ０９４６７８を図２（Ｂ）に示すように、看護者ＩＤ０９５３３６に書き換える。
【００３１】
また、看護師Ｙ、Ｚもそれぞれ引き継いだ携帯端末３で同様の操作を行うと、患者Ｂを担当する看護師Ｙの場合は図２（Ａ）に示すテーブル７の患者Ｂの被看護者ＩＤ００２に対応する看護者ＩＤ０９４１０１を図２（Ｂ）に示すように、看護者ＩＤ０９２５８７に書き換え、患者Ｃを担当する看護師Ｚの場合は図２（Ａ）に示すテーブル７の患者Ｂの被看護者ＩＤ００３に対応する看護者ＩＤ０９５００６を図２（Ｂ）に示すように、看護者ＩＤ０９６０７５に書き換える。
【００３２】
このように携帯端末３で看護者ＩＤを入力することによって、交換機４で図２（Ａ）に示すテーブル７のデータ内容を図２（Ｂ）に示すテーブル７のデータ内容に書き換えることができる。即ち、被看護者ＩＤが００１の患者Ａを担当していた看護師Ｓが携帯する端末番号０２１１の携帯端末３の看護者ＩＤ０９４６７８を、看護師Ｘの看護者ＩＤ０９５３３６に、被看護者ＩＤが００２の患者Ｂを担当していた看護師Ｔが携帯する端末番号００３７の携帯端末３の看護者ＩＤ０９４１０１を、看護師Ｙの看護者ＩＤ０９２５８７に、被看護者ＩＤが００３の患者Ｃを担当していた看護師Ｕが携帯する端末番号０１５０の携帯端末３の看護者ＩＤ０９５００６を、看護師Ｚの看護者ＩＤ０９６０７５にそれぞれ書き換えることができる。
【００３３】
したがって、患者Ａがナースコール子機１の呼出ボタン１１で担当看護師Ｘを呼び出すと、端末番号０２１１の携帯端末３を携行する看護師Ｘが患者Ａからの呼び出しを、また、患者Ｂがナースコール子機１の呼出ボタン１１で担当看護師Ｙを呼び出すと、端末番号００３７の携帯端末３を携行する看護師Ｙが患者Ｂからの呼び出しを、さらに、患者Ｃがナースコール子機１の呼出ボタン１１で担当看護師Ｚを呼び出すと、端末番号０１５０の携帯端末３を携行する看護師Ｚが患者Ｃからの呼び出しをそれぞれ確認できるようになる。
【００３４】
なお、上述した実施例においては、テーブル７は交換機４のテーブル記録部４２に記録させていたが、これに限らず、ナースコール制御装置６にテーブル記録部を設け、そのテーブル記録部にテーブル７を記録させ、内蔵されるＣＰＵ等から構成される制御部で制御するようにしてもよい。これにより、ナースコール制御装置６でテーブル７の看護者ＩＤ及び端末番号のデータを書き換えることができる。
【００３５】
また、上述した実施例においてはテーブル記録部に記録されたテーブルは、携帯端末から端末番号と看護者ＩＤを入力することによって看護者ＩＤと端末番号のデータを書き換えることができたが、これに限らず、ナースコール親機から端末番号と看護者ＩＤを入力することによってテーブルの看護者ＩＤと端末番号のデータを書き換え可能である。これにより、ナースコール親機が設置されたナースステーション等においてもテーブルの看護者ＩＤ及び端末番号のデータを書き換えることが可能となる。
【００３６】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００３７】
【図１】本発明のナースコールシステムにおける好ましい実施の形態例を示すブロック図である。
【図２】交換機のテーブル記録部に記録されたテーブルを示す構成図である。
【図３】携帯端末の操作状態を示す説明図である。
【符号の説明】
【００３８】
１……ナースコール子機
２……ナースコール親機
３……携帯端末
４……交換機
５……基地局
６……ナースコール制御装置
７……テーブル
【図１】
2007096769.tif 000003
【図２】
2007096769.tif 000004
【図３】
2007096769.tif 000005